(57)【要約】【課題】塵埃に帯電を行うアイオナイザでの帯電効率を高め、これにより集塵効率を向上させる。【解決手段】放電電極１１と対向電極１２とからなりコロナ放電を発生させ塵埃を帯電させるアイオナイザ１０の前面に、先端が鋭角な断面楔状に形成され上下方向に平行して並べられた複数の拡散板１３を設け、同拡散板１３により通過する空気に対し乱流を発生させることにより前記アイオナイザ１０での塵埃に対する帯電率を高め、またその後方に、外部電極が存在しない状態でも半恒久的に電気分極を保持し、周囲に対して電界を形成する所謂電石（エレクトレット）の機能を保持した超極細繊維からなる不織布で形成され集塵フィルターを設ける。【選択図】　図１
2004136196.tif 000002
【特許請求の範囲】
【請求項１】
本体の前面に吸込口を、上面に吹出口を設け、同本体内を吸入孔を穿設した仕切板により前後に区画するとともに、後部区画に前記吸入孔に臨むように送風ファンを設け、前部区画に、前記吸込口の裏面からプレフィルターと、上下方向に並設された複数の放電電極とこれに相対向する複数の対向電極とからなりコロナ放電により塵埃を帯電させるアイオナイザと、帯電した塵埃を捕集、吸着する集塵フィルターとを順次設ける一方、前記プレフィルターと前記アイオナイザとの間に、通過する空気に対し乱流を発生させる拡散板を上下方向に複数に設けてなることを特徴とする空気清浄機。
【請求項２】
前記拡散板が、前記吸込口に対向して先端が鋭角な断面楔状に形成され、枠体の左右梁の間に架設されてなることを特徴とする請求項１に記載の空気清浄機。
【請求項３】
前記拡散板の表面に、複数の突起を設けてなることを特徴とする請求項２に記載の空気清浄機。
【請求項４】
前記集塵フィルターが、超極細繊維からなる不織布により形成され、半恒久的に電気分極を保持し、周囲に対して電界を形成する機能を保持してなることを特徴とする請求項１に記載の空気清浄機。
【請求項５】
前記拡散板が、断面円形状に形成され、上下に千鳥状に配列されてなることを特徴とする請求項２に記載の空気清浄機。
【請求項６】
前記拡散板が、外周面を前記プレフィルター側に向けた断面円弧状に形成され、上下に千鳥状に配列されてなることを特徴とする請求項２に記載の空気清浄機。
【請求項７】
前記拡散板が、上下に千鳥状に配列され、相対向するように傾斜した複数の平板からなることを特徴とする請求項２に記載の空気清浄機。
【発明の詳細な説明】
【０００１】
【発明の属する技術分野】
本発明は、空気清浄機に関わり、より詳細には、電気集塵器での塵埃に対する帯電率を高め集塵効率を向上させる一方、本体の小型化をはかる構成に関する。
【０００２】
【従来の技術】
電気集塵器を内蔵した従来の空気清浄機は、例えば公開特許公報８−１５５３３６号（特許文献１）に開示されているように塵埃を捕集する電気集塵器を構成している。同特許公報による図５で示す構成は、給気用ファン３７の後方に、放電電極３２と対向電極３３とからなり塵埃を正側あるいは負側に帯電させるアイオナイザ３０を設け、同アイオナイザ３０の後方に、複数の高電位側電極３４と複数の低電位側電極３５とを上下方向に交互に配設したコレクタ３１を設けている。
【０００３】
前記アイオナイザ３０には、棒状あるいは線状に形成された複数の放電電極３２が上下に平行して設けられ、同放電電極３２を挟持するように平板状に形成された複数の対向電極３３が配設されている。前記放電電極３２は夫々高圧電源３６に接続され、前記複数の対向電極３３は夫々接地側に接続されており、前記高圧電源３６から高電圧が印加されると前記放電電極３２から前記対向電極３３に対しコロナ放電が発生するようになっている。前記給気ファン３７により送出された空気中に含まれる塵埃は、前記放電電極３２からのコロナ放電により正側に帯電するようになっており、正側に帯電した塵埃は、続いて前記コレクタ３１に送出され、前記低電位側電極３５にクローン引力により捕集、吸着されるようになっている。
【０００４】
しかしながら、前記アイオナイザ３０にて塵埃に帯電させる際、前記放電電極３２の近傍は放電密度が大きく塵埃が帯電されやすいが、遠ざかるにつれ放電密度が弱まり塵埃が帯電されにくいという問題があり、また、帯電した塵埃を捕集、吸着する前記コレクタ３１を前記アイオナイザ３０の後方に配設すると空気清浄機本体の前後寸法が大きくなり、本体の小型化をはかる際、障害となってしまうというような課題を抱えていた。
【０００５】
【特許文献１】
特開平８−１５５３３６号
【０００６】
【発明が解決しようとする課題】
本発明は上記問題点に鑑み、アイオナイザを通過する空気に含有される塵埃が均一に帯電されるようにして塵埃の集塵効率を向上させる一方、本体を極力小型化できる空気清浄機を提供することを目的とする。
【０００７】
【課題を解決するための手段】
本発明は上記課題を解決するため、本体の前面に吸込口を、上面に吹出口を設け、同本体内を吸入孔を穿設した仕切板により前後に区画するとともに、後部区画に前記吸入孔に臨むように送風ファンを設け、前部区画に、前記吸込口の裏面からプレフィルターと、上下方向に並設された複数の放電電極とこれに相対向する複数の対向電極とからなりコロナ放電により塵埃を帯電させるアイオナイザと、帯電した塵埃を捕集、吸着する集塵フィルターとを順次設ける一方、前記プレフィルターと前記アイオナイザとの間に、通過する空気に対し乱流を発生させる拡散板を上下方向に複数に設けてなる構成となっている。
【０００８】
また、前記拡散板が、前記吸込口に対向して先端が鋭角な断面楔状に形成され、枠体の左右梁の間に架設されてなる構成となっている。
【０００９】
また、前記拡散板の表面に、複数の突起を設けてなる構成となっている。
【００１０】
また、前記集塵フィルターが、超極細繊維からなる不織布により形成され、半恒久的に電気分極を保持し、周囲に対して電界を形成する機能を保持してなる構成となっている。
【００１１】
また、前記拡散板が、断面円形状に形成され、上下に千鳥状に配列されてなる構成となっている。
【００１２】
また、前記拡散板が、外周面を前記プレフィルター側に向けた断面円弧状に形成され、上下に千鳥状に配列されてなる構成となっている。
【００１３】
更に、前記拡散板が、上下に千鳥状に配列され、相対向するように傾斜した複数の平板からなる構成となっている。
【００１４】
【発明の実施の形態】
以下、本発明の実施の形態を、添付図面に基づいた実施例として詳細に説明する。
図１は本発明による空気清浄機を示す断面図であり、図２は集塵部を示す要部斜視図である。図３及び図４は後述する拡散板を示す断面図である。
本発明による空気清浄機は、図１で示すように、前面が開放された後部パネル１と後面が開放された前部パネル２とで縦長状の本体を構成し、同本体内を吸入孔３ａを穿設した仕切板３により前後に区画している。本体の前面には上下に形成された複数の横桟により吸込口４が設けられ、上面には同様に複数の横桟により吹出口５が設けられている。
【００１５】
前記後部パネル１の背面内壁には、前記仕切板３に穿設された吸入孔３ａに臨むように送風ファン６が設けられ、前記前部パネル２の上部には、高電圧を発生し後述する放電電極に印加する高圧電源７が設けられている。前記吸込口４の裏面には、同吸込口４から吸込まれた空気に含有される粒径の比較的大な塵埃を吸着するプレフィルター８が装着され、その後方には、棒状に形成され上下方向に平行して並べられた複数の放電電極１１と、平板状に形成され、前記放電電極１１を挟持するように上下方向に平行して並べられた複数の対向電極１２とからなるアイオナイザ１０が設けられ、更にその後方であって前記仕切板３の前面には前記アイオナイザ１０により帯電した塵埃を捕集、吸着する集塵フィルター９が装着されている。
【００１６】
前記プレフィルター８と前記アイオナイザ１０との間には、前記吸込口４に対向するように先端が鋭角な断面楔状に形成され、通過する空気に対し乱流を発生させる複数の拡散板１３が上下方向に平行して設けられている。
【００１７】
図２で示すように、前記アイオナイザ１０の前記放電電極１１は上記したように上下に平行して並べられる一方、点線で示すように夫々が前記前部パネル２の上部に設けられた高圧電源７に接続され、同放電電極１１を挟持するように配設された複数の対向電極１２は夫々接地側に接続されている。前記高圧電源７から約７ＫＶ相当の高電圧が前記放電電極１１に印加されると、同放電電極１１と前記対向電極１２との間にコロナ放電が発生し、周囲を通過する空気に含有される比較的粒径の小さな塵埃はコロナ放電により帯電するようになっている。
【００１８】
前記拡散板１３は、図２で示すように、矩形状に形成された枠体１３ａの左右梁の間に上下に渡り複数架設されており、本体の前記吸込口４から吸込まれ前記プレフィルター８により比較的粒径の大きな塵埃を除去された空気は、図１の矢印で示すように、前記拡散板１３により上下に分流され渦を生じながら乱流となって前記アイオナイザ１０に流れ込むようになっている。
【００１９】
前記仕切板３の前面に設けられた前記集塵フィルター９は、縦長方形状に形成され、前記アイオナイザ１０のコロナ放電により帯電した塵埃をクーロン力により捕集、吸着するようになっている。同集塵フィルター９は、超極細繊維からなる不織布であり、外部電極が存在しない状態でも半恒久的に電気分極を保持し、周囲に対して電界を形成する所謂電石（エレクトレット）の機能を保持している。同集塵フィルター９を通過する空気に含有される帯電した塵埃は、サブミクロン単位の極細な塵埃に至るまで捕集、吸着されるようになっており、通過する空気は極力清浄化されて前記吹出口５から室内に送出されるようになっている。また、同集塵フィルター９は所謂圧力損失が従来のフィルターに比較して小さくなるように形成されており、前記吹出口５から充分な量の空気を供給できるようになっている。また、前後寸法の小さな同集塵フィルター９を帯電した塵埃を捕集、吸着するフィルターとして用いることにより本体の前後寸法を低減して所謂小型化がはかれるようになっている。
【００２０】
次に、動作について説明する。前記吸込口４から吸込まれた室内の空気は前記プレフィルター８により粒径の大きい塵埃を除去され、続いて前記拡散板１３により拡散されて乱流となり前記アイオナイザ１０に流れ込む。この際、乱流状態で前記放電電極１１からコロナ放電を受けることにより、含有される塵埃は極力均一な状態で帯電するようになっており、これにより層流状態で流れ込む従来に比較して集塵効率を向上させることができるようになっている。次に、帯電した塵埃は前記集塵フィルター９により微細な塵埃に至るまで捕集、吸着され前記仕切板３の吸入孔３ａに吸引され、前記送風ファン６により前記吹出口５から再び室内に送出されるようになっている。
【００２１】
次に、他の実施例について説明する。図３で示す実施例は断面楔状に形成された拡散板１４の表面に、円錐状の突起１４ａを複数設け、空気の流れに対し効率よく乱流を発生させるようになっている。
【００２２】
また、前記拡散板の断面は楔状に限定されるものではなく、図４に示すような種々の形状で代替することができる。図４（Ａ）で示す実施例は、断面円形状の拡散板１５を千鳥状に配列させ乱流を発生させるようになっている。また図４（Ｂ）で示す実施例は円弧状に形成された拡散板１６を、外周面を前記プレフィルター８側に向けるとともに、千鳥状に配列させ効率よく乱流を発生させるようになっている。また図４（Ｃ）で示す実施例は、拡散板の加工費が低減できるように傾斜した平板状の拡散板１７を相対向するように上下に配設して乱流を発生させるようになっている。
【００２３】
【発明の効果】
以上説明したように、本発明によると、コロナ放電を発生させ塵埃を帯電させるアイオナイザの前面に、先端が鋭角な断面楔状に形成され上下方向に平行して並べられた複数の拡散板を設け、通過する空気に対し乱流を発生させることにより塵埃の帯電率を高めて集塵効率を向上させ、また、帯電した塵埃を捕集、吸着するフィルターを、外部電極が存在しない状態でも半恒久的に電気分極を保持し、周囲に対して電界を形成する所謂電石（エレクトレット）の機能を保持した超極細繊維からなる不織布で形成することにより本体の小型化をはかることのできる空気清浄機となる。
【図面の簡単な説明】
【図１】本発明による空気清浄機を示す断面図である。
【図２】拡散板とアイオナイザと集塵フィルターとを示す斜視図である。
【図３】拡散板の他の実施例を示す断面図である。
【図４】（Ａ），（Ｂ），（Ｃ）とも　拡散板の他の実施例を示す断面図である。
【図５】従来例の空気清浄機におけるアイオナイザとコレクタとを示す図である。
【符号の説明】
１　後部パネル
２　前部パネル
３　仕切板
３ａ　吸入孔
４　吸込口
５　吹出口
６　送風ファン
７　高圧電源
８　プレフィルター
９　集塵フィルター
１０　アイオナイザ
１１　放電電極
１２　対向電極
１３　拡散板
１３ａ　枠体
１４　拡散板
１４ａ　突起
１５　拡散板
１６　拡散板
１７　拡散板
【図１】
2004136196.tif 000003
【図２】
2004136196.tif 000004
【図３】
2004136196.tif 000005
【図４】
2004136196.tif 000006
【図５】
2004136196.tif 000007